(57)【要約】【課題】複数のリモコンにて操作される給湯システムにおいて、給湯温度が高温に設定されるような、ユーザにやけど等の怪我を負わせる可能性のある状態で、通話機能等を開始して画面を切り替える場合には、通話の利便性を保ちながらも、高温給湯の安全性を確保しなければならない。【解決手段】給湯温度が高温に設定された時（Ｓ４）には、自分のリモコンで操作されたのか他のリモコンで操作されたのか（Ｓ６）、現在自分には給湯温度を変更する優先権があるのか否か（Ｓ６）をもとに、表示する画面を切り替える（Ｓ５、Ｓ８）。このことにより、他のリモコンから通話が開始された場合にも、通話設定画面にて給湯設定画面を隠してしまうことなく、ユーザに現在高温で出湯されることを容易に認識させることを可能とし、ユーザ認識漏れによるやけど等の被害を防ぐことができるので、システムの安全性を確保することができる。【選択図】図４
2007040551.tif 000002
【特許請求の範囲】
【請求項１】
給湯器へ接続され、表示手段と、前記表示手段に表示する画面を切り替える画面切り替え手段と、操作手段とを備えた複数のリモコンからなる給湯システムにおいて、
前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にて前記複数のリモコン間での通話を行っている時には前記表示手段に現在の通話状態を示す通話設定画面を表示し、
前記給湯器から供給されるお湯が高温である場合の通話時には、前記表示手段に、前記通話設定画面に優先して前記給湯設定画面を表示する給湯システム。
【請求項２】
給湯器の設定温度を優先的に変更できる優先権を有している前記リモコンが備える操作手段にて通話を行う場合には、前記リモコンの画面切り替え手段は、給湯器から供給されるお湯が高温であっても前記表示手段に、前記給湯設定画面に優先して前記通話画面を表示する請求項１記載の給湯システム。
【請求項３】
給湯器の設定温度を優先的に変更できる優先権を有していない前記リモコンで通話が開始された場合には、給湯器から供給されるお湯が高温であれば前記表示手段に、前記通話設定画面に優先して前記給湯設定画面を表示する請求項２記載の給湯システム。
【請求項４】
給湯器へ接続され、表示手段と、前記表示手段に表示する画面を切り替える画面切り替え手段と、操作手段と、音声報知手段とを備えた複数のリモコンからなる給湯システムにおいて、
前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にて前記複数のリモコン間での通話を行っている時には前記表示手段に現在の通話状態を示す通話設定画面を表示し、
前記給湯器から供給されるお湯が高温である場合の通話時には、前記表示手段に前記通話設定画面を表示する際に、前記音声報知手段を用いて前記給湯器から供給されるお湯が高温である旨を報知してから前記給湯設定画面に優先して前記通話設定画面を表示する給湯システム。
【請求項５】
給湯器から供給されるお湯が高温であるときに、他リモコンが備える操作手段にて通話が行われた場合には、前記表示手段に前記通話設定画面を表示する際に、前記音声報知手段を用いて前記給湯器から供給されるお湯が高温である旨を報知してから前記給湯設定画面に優先して前記通話設定画面を表示する請求項４記載の給湯システム。
【請求項６】
給湯器へ接続され、表示手段と、前記表示手段に表示する画面を切り替える画面切り替え手段と、操作手段と、音量変更手段とを備えた複数のリモコンからなる給湯システムにおいて、
前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にて前記複数のリモコン間での通話を行っている時には前記表示手段に現在の通話状態を示す通話設定画面を表示し、
前記給湯器から供給されるお湯が高温である場合の通話時には、少なくとも一方のリモコンの通話音量は通常設定されている音量よりも大音量で設定される給湯システム。
【請求項７】
請求項１〜６いずれか１項記載の給湯システムの少なくとも一つをコンピュータに実行させるためのプログラム。
【発明の詳細な説明】
【技術分野】
【０００１】
本発明は、給湯設定画面と通話設定画面の表示制御を行う給湯システム及びプログラムに関するものである。
【背景技術】
【０００２】
現在、機器の制御リモコンは、機器が備える多種多様な機能をユーザが余すところ無く提供できるように、より分かりやすく、より使いやすく進化してきている。その最たるものとして期待を集めるのが情報の表示手段としてタッチパネルを用いたものであり、タッチパネルにて状況に応じて画面や使用可能なボタン表示を切り替え、場面場面に合ったユーザインターフェースを実現することで、利便性を向上させている（例えば特許文献１参照）。
【０００３】
このタッチパネル方式では、機能毎に画面が切り替わるので、一つの機能を使用するときにユーザに提供する選択肢（操作ボタン）はごく少数に絞ることができ、どのボタンを使用したらいいのかとユーザが迷ってしまうことがないので、ユーザにとって利便性の高いものとなっている。また、表示部の画面を大きく使って温度表示、操作ボタンの配置等を行うことができるので、視力の落ちたお年寄りなどにも十分に認識可能で操作性にも優れたリモコンを提供することができる。
【０００４】
また、給湯器特有の問題として、給湯器が供給するお湯の温度を６０℃や７０℃といった高温にする際に、複数のリモコンが存在するシステムの中で、ある１つのリモコンにて給湯温度を高温に設定すると、設定したリモコンとは別の場所で、別のユーザがお湯を使用しようと思った場合に、給湯温度に気をつけないでお湯を出してしまうといきなり高温で出湯されることとなり、ユーザがやけどを負うような危険な場面も発生しうる。このため給湯温度が高温に設定された場合には、表示手段に警告画面を表示し注意を喚起する、といった技術も公開されている（例えば特許文献２参照）。
【特許文献１】特開２００４−２９３９２１号公報
【特許文献２】特開２００４−３３３０５２号公報
【発明の開示】
【発明が解決しようとする課題】
【０００５】
前記特許文献１のような技術を用いて通話機能を備えた給湯システムのリモコンを設計した場合、利便性を考えると、複数の機能を１画面にいろいろ並べてしまうよりも、１画面には１つの機能を配し、別の機能を使用したい場合には、画面を切り替えて、使用したい機能の画面を表示することが望ましい。つまり、給湯温度を表示、変更したい場合には、表示部には給湯設定画面を表示し、リモコン間での通話を開始したい場合には通話設定画面を表示するということになる。
【０００６】
また、リモコン間での会話を可能とする通話機能は、両リモコン間で同時に使用される機能であるので、一方のリモコンで通話を開始されたとしても両方のリモコンで通話設定画面が表示されることが望ましい。このため、通話を開始された方のリモコンは、直接リモコン上で操作を行ったわけではないが通話機能が開始されたので通話設定画面を表示することとなる。
【０００７】
一方で、給湯器では給湯温度で高温(例えば６０℃)が設定されることがしばしばあり、ユーザが「今お湯を出すとやけどする可能性がある」ということを認識していなければ、不用意に出湯してしまい、やけどを負ってしまう危険性がある。
【０００８】
そのため、通話機能を有する給湯システムのリモコンにおいては、上記のように給湯温度が高温に設定されていたときには、給湯設定画面に通話設定画面がかぶさってしまい、給湯設定画面にて高温が設定されていることをユーザに認識させることが難しい。たとえば特許文献２のように、条件によって給湯温度表示を縮小させ、メインとなる通話設定画面と注意を促したい給湯設定画面(給湯温度表示)の情報を同一画面に配置することも可能であるが、縮小された情報では視力の落ちたお年寄りなどに十分に認知させることができない。
【０００９】
つまり、このような通話機能を有した給湯システムのリモコンにて、利便性の高いリモコンを実現する為には、給湯器から高温のお湯が出湯される場合を想定し、安全性を十分考慮した上での設計を行わなければならない。
【課題を解決するための手段】
【００１０】
前記従来の課題を解決するために、本発明の給湯システムは、給湯器へ接続され、表示手段と、前記表示手段に表示する画面を切り替える画面切り替え手段と、操作手段とを備えた複数のリモコンからなる給湯システムにおいて、前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にてリモコン間での通話を行っている時には前記表示手段に現在の通話状態を示す通話設定画面を表示し、給湯器から供給されるお湯が高温である場合の通話時には、前記表示手段に、前記通話設定画面に優先して前記給湯設定画面を表示することを特徴としたものである。
【発明の効果】
【００１１】
本発明の給湯システムは、他のリモコンから通話が開始された場合にも、通話設定画面にて給湯設定画面を隠してしまうことなく、ユーザに現在高温で出湯されることを容易に認識させることを可能としたものであり、これにより、給湯温度が高温に設定されていた場合には、ユーザにその出湯温度を意識させることができ、認識漏れによるやけど等の被害を防ぐことができるので、給湯システムの安全性を確保することができる。
【発明を実施するための最良の形態】
【００１２】
第１の発明は、給湯器へ接続され、表示手段と、前記表示手段に表示する画面を切り替える画面切り替え手段と、操作手段とを備えた複数のリモコンからなる給湯システムにおいて、前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にてリモコン間での通話を行っている時には前記表示手段に現在の通話状態を示す通話設定画面を表示し、給湯器から供給されるお湯が高温である場合の通話時には、前記表示手段に、前記通話設定画面に優先して前記給湯設定画面を表示するものである。
【００１３】
これにより、通話時においてもユーザは現在高温で出湯されることを容易に認識することができ、給湯温度が高温に設定されていた場合での認識漏れによるやけど等の被害を防ぐことができるので、システムの安全性を確保することができる。
【００１４】
第２の発明は、特に第１の発明の給湯システムにおいて、給湯器の設定温度を優先的に変更できる優先権を有している前記リモコンが備える操作手段にて通話を行う場合には、前記リモコンの画面切り替え手段は、給湯器から供給されるお湯が高温であっても前記表示手段に、前記給湯設定画面に優先して通話画面を表示するものである。
【００１５】
これにより、給湯器の設定温度を優先的に変更できる優先権を有し、自らが高温に給湯
温度を設定したという意識をユーザが十分に持っているにも関わらず、その後通話を自ら開始したときに更に給湯温度の認識を促すような給湯設定画面を表示することなく、通話機能を提供することができ、ユーザの利便性を高めることが可能となる。
【００１６】
第３の発明は、特に第２の発明の給湯システムにおいて、給湯器の設定温度を優先的に変更できる優先権を有していない前記リモコンで通話が開始された場合には、給湯器から供給されるお湯が高温であれば前記表示手段に、前記通話設定画面に優先して前記給湯設定画面を表示するものである。
【００１７】
これにより、給湯器の設定温度を優先的に変更できる優先権を有していない場合には、すぐに温度を変えることができず、出湯してしまった場合には、やけど等の被害が出てしまう可能性が高いが、通話を開始しても通話設定画面に優先して給湯設定画面を表示するので、常に温度を優先的に表示することができ、ユーザに一層の注意を促せるので、やけど等の被害を防ぐことができる。
【００１８】
第４の発明は、給湯器へ接続され、表示手段と、前記表示手段に表示する画面を切り替える画面切り替え手段と、操作手段と、音声報知手段とを備えた複数のリモコンからなる給湯システムにおいて、前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にてリモコン間での通話を行っている時には前記表示手段に現在の通話状態を示す通話設定画面を表示し、給湯器から供給されるお湯が高温である場合の通話時には、前記表示手段に通話設定画面を表示する際に、前記音声報知手段を用いて給湯器から供給されるお湯が高温である旨を報知してから給湯設定画面に優先して通話設定画面を表示するものである。
【００１９】
これにより、通話設定画面を表示してユーザの利便性を保ちながらも、給湯設定画面にて高温が設定されていることを認知させる替わりに音声にて給湯器から供給されるお湯が高温である旨を報知するので、通話時においてもユーザの意識を損なうことも無く、安全性を保つことができる。
【００２０】
第５の発明は、特に第４の発明の給湯システムにおいて、給湯器から供給されるお湯が高温であるときに、他リモコンが備える操作手段にて通話が行われた場合には、前記表示手段に通話設定画面を表示する際に、前記音声報知手段を用いて給湯器から供給されるお湯が高温である旨を報知してから給湯設定画面に優先して通話設定画面を表示するものである。
【００２１】
これにより、通話時において、やけど等の恐れのある高温出湯状態で、画面が切り替わる場合には、音声にて報知し、ユーザの注意を促すので、ユーザの認識の無いところで画面が切り替わってしまうのを防ぐことができると同時に、高温に設定されていることを予め意識として持っている場合には、通話設定画面を出し、現在の通話状態や、スピーカ音量の変更などの操作を可能とさせて利便性を向上させることができる。
【００２２】
第６の発明は、給湯器へ接続され、表示手段と、前記表示手段に表示する画面を切り替える画面切り替え手段と、操作手段と、音量変更手段とを備えた複数のリモコンからなる給湯システムにおいて、前記リモコンの画面切り替え手段は、前記操作手段にて前記給湯器の温度設定を行っている時には前記表示手段に給湯器の設定温度を含む給湯器の状態を示す給湯設定画面を表示し、前記操作手段にてリモコン間での通話を行っている時には前記表示手段に現在の通話状態を示す通話設定画面を表示し、給湯器から供給されるお湯が高温である場合の通話時には、少なくとも一方のリモコンの通話音量は通常設定されている音量よりも大音量で設定されるものである。
【００２３】
これにより、高温設定されている状態で通話を開始した場合に、例えば通話設定画面を表示したとしてもユーザ同士で「今から熱いお湯を使うから気をつけてね（優先権あり時）」「いまからお湯使うから温度下げてね（優先権なし時）」「温度変えたいから優先権を頂戴（優先権なし時）」等優先権がどちらのリモコンにあるかに関係なく現在が危険な状態であるかどうかを大音量で確実に相手に伝えることが出来、また危険な状態を解除する旨を相手に確実に伝えてから使用することが可能である。加えて、高温に設定されている危険な状態であってもお湯を使用するつもりのないユーザにとっては通常通り通話設定画面が表示されているので、通話機能を使用する際の利便性が損なわれることがないので、安全性と同時に利便性も確保できる。
【００２４】
第７の発明は、第１から６の発明の給湯システムの少なくとも一つをコンピュータに実行させるためのプログラムであり、ＣＰＵ（マイコン）、ＲＡＭ、ＲＯＭ、記憶装置、Ｉ／Ｏなどを備えた電気情報機器、コンピュータ等のハードリソースを協働させて本発明の乾燥室の手段の一部をプログラムとして容易に実現することができる。また記録媒体に記録したり通信回線を用いてプログラム配信することにより、プログラム配布が他の手段に比べて極めて簡単に実現できる。
【００２５】
以下、本発明の実施の形態について、図面を参照しながら説明する。なお、この実施の形態によって本発明が限定されるものではない。
【００２６】
（実施の形態１）
図１に本発明の給湯システムの構成例を示す。給湯器１は台所に設置されているリモコンである台所リモコン２、浴室に設置されている浴室リモコン３と接続され、台所のカラン４Ａ、浴室のカラン４Ｂのどちらへも給湯器内部に蓄えられた湯を供給することが可能である。そして、台所リモコン２ではカラン４Ａを使用するときの給湯温度を、浴室リモコン３ではカラン４Ｂを使用するときの給湯温度を変更する。また、台所リモコン２と浴室リモコン３の間では、相互に会話をすることができる通話機能をも備える。
【００２７】
本図では、給湯器の状態を各リモコンにて表示するため、両リモコンと給湯器が並列に接続されているが、給湯器と台所リモコン、浴室リモコンが直列に接続されている構成であっても構わない。この場合には、給湯器−各リモコン間、台所リモコン−浴室リモコン間の通信を行う場合にいずれかの機器が電文を中継する構成となる。
【００２８】
図２に台所リモコン２の内部構成例を示す。台所リモコン２は通信手段１０を持ち、給湯器１と通信して給湯器の制御を行ったり給湯器の状態を取得したりする。また、浴室リモコン３とも通信し、浴室リモコン３との通話を可能とする。ここでは給湯器１と浴室リモコン３と通信する通信手段１０は同一のものとしているが、別である構成としても構わない。
【００２９】
通信手段１０にて取得した情報から現在どの画面を表示するかを画面切り替え手段１１にて決定し、決定された画面を表示手段１２に表示する。
【００３０】
また台所リモコン２は操作手段１３を持ち、この操作手段１３は（図３にて説明する）ハードキー１３Ａ、１３Ｂ、タッチパネル上に表示されるアイコンを用いたソフトキー１３Ｃ〜１３Ｄを用いた構成とする。操作手段１３によって操作された内容にも応じて画面切り替え手段１１は表示手段１２に表示される画面を切り替える。
【００３１】
図３に台所リモコン２の外観と表示手段にて表示する画面例を示す。台所リモコン２は日常生活で頻繁に使用される、給湯器の設定温度を優先的に変更できる優先権を取得する
「優先」ボタン、浴室リモコンとの通話機能をワンタッチで開始する「通話」ボタン、おふろのお湯を沸かす機能をワンタッチで開始する「ふろＯＮ」ボタンを表示画面に関わらず使用できる操作手段としてハードキー１３Ａ〜１３Ｃ（図３（ａ））で実装する。
【００３２】
表示手段１２では、給湯器の運転状態や、おふろの沸き上げ状態、給湯温度、貯湯されているお湯の量を表示するゲージなどを表示した上で、現在の給湯温度の設定値を見ながらを変更することのできる操作手段としてソフトキー１３Ｄを具備した画面１２Ａ（図３（ａ））を給湯設定画面として、また、現在どちらのリモコンで話をしているかの通話状態を表示したり、通話時の台所リモコンの出力音量を変更したりすることのできる操作手段としてソフトキー１３Ｅを具備した画面１２Ｂ（図３（ｂ））を通話設定画面として表示する。この二つの画面の切り替えは前述の通り画面切り替え手段１１にて行われる。
【００３３】
また、給湯設定画面１２Ａ（図３（ａ））、通話設定画面１２Ｂ（図３（ｂ））の他にも、ウェブのページを見たり、指定された連絡先に電話したりといった複数の機能を台所リモコン２が備えている場合には、他の機能を選択するメニュー表示画面１２Ｃ（図３（ｃ））、給湯器の操作を行いその結果をユーザに通知する（例えば「ふろＯＮ」ボタン１３Ｃを押下した時に給湯器１にておふろのお湯を沸かしたことをユーザに知らせる、など）運転案内画面１２D（図３（ｄ））などを用意し、複数の画面を画面切り替え手段１１にて切り替えても構わない。切り替える画面１２Ａ〜１２Ｄ（図３（ａ）〜（ｄ））は求められる給湯システムに応じて様々な画面を設定することが可能である。
【００３４】
本実施の形態では、説明の為通常時表示されるデフォルト画面を給湯設定画面１２Ａ（図３（ａ））、通話時表示される画面を通話設定画面１２Ａ（図３（ｂ））として切り替えを行うこととする。通常時の画面設定は給湯設定画面に限らず、例えばメニュー表示画面１２Ｃ（図３（ｃ））を表示しており、必要な操作に応じて給湯設定画面１２Ａ（図３（ａ））が表示される構成としても構わない。
【００３５】
台所リモコンは、通常時（給湯温度が「高温」に設定されていないとき）には操作手段１３Ａ〜１３Ｅにて入力された操作を優先して画面を切り替える。よって、「優先」ボタン１３Ａを押下された場合には給湯温度の変更を可能とし、給湯設定画面１２Ａ（図３（ａ））を最前面に表示する。
【００３６】
同様に「通話」ボタン１３Ｂを押下された場合には通話を開始し、通話設定画面１２Ｂ（図３（ｂ））を最前面に表示、「ふろＯＮ」ボタン１３Ｃを押下された場合には、おふろの沸き上げを開始した旨を通知する運転案内画面１２Ｄ（図３（ｄ））を最前面に表示する。このとき浴室リモコンにて通話が開始された場合には、台所リモコンでも通話設定画面を表示するが、台所リモコンにて操作が行われたわけではないので、利便性を重視し、最優先画面とはせずに、台所リモコンの操作によって表示される画面１２Ａ（図３（ａ））や画面１２Ｃ（図３（ｃ））を優先的に表示し、前面に表示されている画面が消去された（もしくは背面に回された）ら、前面に表示されるものとする。
【００３７】
図４に給湯温度が高温（例えば６０℃以上）に設定されたときの画面切り替え手段１１における制御シーケンスを、図５に給湯の温度優先権と通話開始操作と画面の相関説明図を示す。このときデフォルトの表示画面は給湯設定画面１２Ａ（図３（ａ））とする。まず、デフォルトの給湯設定画面を表示するため、給湯器の状態（貯湯タンク内の湯量はどの位か、現在おふろは沸き上げ中か、給湯温度は今何℃か、等）を給湯器から取得し（Ｓ１）、給湯設定画面にて給湯温度等を表示する（Ｓ２）。以後、給湯器の状態が変化したことを給湯器や他リモコンとの通信情報から取得したり、台所リモコン２の操作手段１３によって給湯器の制御が行われたりした場合には、都度最新の給湯器の状態を示す為に画面を更新して表示手段１２に給湯設定画面１２Ａ（図３（ａ））を表示する。
【００３８】
そして、通話開始を検知した（Ｓ３）場合には、給湯温度が高温（例えば６０℃以上とする）であるかどうかを判定し（Ｓ４）、給湯温度が高温に設定されていない通常時には画面切り替え手段１１にて表示手段１２に表示する画面を給湯設定画面１２Ａ（図３（ａ））から通話設定画面１２Ｂ（図３（ｂ））へ切り替える（Ｓ５）。
【００３９】
給湯温度が６０℃以上の高温に設定されていた場合（高温出湯時）に、優先権の有無により更に条件を分けることができる。その場合には、現在優先権が自分（台所リモコン）にあるのかどうか、通話を開始したのは自分かそれとも浴室リモコンを操作しているユーザかにより給湯設定画面１２Ａ（図３（ａ））をそのまま表示するか通話設定画面１２Ｂ（図３（ｂ））に切り替えるのかを画面切り替え手段１１で判定し（Ｓ６）、画面切り替えを行う。
【００４０】
優先権が自分（台所リモコン）にあって、台所リモコンにて（自分が）通話を開始したのであれば（図５のパターン（１））、「温度を変更できることを認識した状態（優先権がある）」であり、「温度を認識しつつ新規機能を開始した（台所リモコンで通話開始操作を行った）」と見なして、高温出湯の注意喚起を促す給湯設定画面１２Ａ（図３（ａ））より通話設定画面１２Ｂ（図３（ｂ））２Ｂを表示手段１２へ表示し、更なる利便性の向上を図る。
【００４１】
現在の台所リモコンが「温度がこちらから変更できない（優先権がない）状態（図５のパターン（３）（４））」だったり、「浴室リモコンから通話を開始した（台所リモコン上で操作は行われていない）状態（図５内パターン（２））」だったりした場合には、ユーザが給湯温度を認識しないまま画面が切り替わってしまうのを防ぐ為に通話設定画面１２Ｂ（図３（ｂ））に切り替えることなく、給湯設定画面１２Ａ（図３（ａ））を表示し続ける（Ｓ８）。
【００４２】
図６に高温設定時に
（ａ）前操作画面１２Ｅ（通話設定画面１２Ｂ）に優先して給湯設定画面１２Ａを表示した（図３内Ｓ８）場合の外観イメージ図と、
（ｂ）前操作画面１２Ｅ（給湯設定画面１２Ａ）に優先して通話設定画面１２Ｂを表示した（図３内Ｓ５）場合の外観イメージ図とを示す。
【００４３】
これらは、優先的に画面を表示する場合には図６に示すように、前操作画面１２Ｅに重ねるように前面に表示しても構わないが、全面を給湯設定画面１２Ａ、通話設定画面１２Ｂで書き換えても構わない。
【００４４】
このことにより、やけど等の恐れのある高温出湯状態で、ユーザの認識の無いところで画面が切り替わってしまうのを防ぐので、ユーザに現在給湯温度が６０℃以上に設定されていることを意識させることができる。と同時に、高温に設定されていることを予め意識として持っている場合には、通話設定画面を出し、現在の通話状態や、スピーカ音量の変更などの操作を可能とさせて利便性を向上させることができる。
【００４５】
このとき、給湯温度が６０℃以上の高温に設定された場合には、給湯設定画面１２Ａ（図３（ａ））における給湯温度を赤字で表示したり、赤地に白抜きの文字で図６（ａ）のように表示したりすることで、一目で高温に設定されていることが認識できるようにするとより一層の効果を得ることができる。
【００４６】
通話を終了した、または通話設定画面上で「閉じる」操作を行い（「閉じる」ボタン押下）、画面を閉じた（Ｓ７）後には、通話設定画面１２Ｂ（図３（ｂ））を優先して表示
させる前に表示していた給湯設定画面１２Ａ（図３（ａ））を再び表示する（Ｓ８）。
【００４７】
（実施の形態２）
以下、本発明の実施の形態２について説明する。図７、図８にて内部構成図と制御シーケンスを示すが、実施の形態１の図３、図４で既に示したものは同一記号を振り、説明を省略する。
【００４８】
図７に実施の形態２における台所リモコン２の内部構成図を示す。実施の形態２では、実施の形態１の構成に加え、音声報知手段１４を備える。画面切り替え手段１１にて画面を切り替える際に、高温出湯時に給湯設定画面１２Ａ（図３（ａ））に優先して通話設定画面１２Ｂ（図３（ｂ））を表示する場合には、通話設定画面１２Ｂ（図３（ｂ））を表示する前に音声報知手段１４にて例えば「只今６０℃に設定されています。お湯を使用する際には取り扱いにご注意ください。」等の音声にてユーザの注意を喚起する。
【００４９】
図８に給湯温度が高温（例えば６０℃以上）に設定されたときの画面切り替え手段１１における制御シーケンスを示す。図４同様デフォルトの表示画面は給湯設定画面１２Ｂ（図３（ａ））とし、Ｓ１〜Ｓ２の処理を行う。Ｓ３にて通話開始が検知された場合に、給湯温度が高温の６０℃以上であるかどうかを判定し（Ｓ４）、給湯温度が高温に設定されていない通常時には実施の形態１同様に画面切り替え手段１１にて表示手段１２に表示する画面を給湯設定画面１２Ａ（図３（ａ））から通話設定画面１２Ｂ（図３（ｂ））へ切り替える（Ｓ５）。
【００５０】
そして、給湯温度が６０℃以上の高温に設定されていた場合（高温出湯時）に、優先権の有無により更に条件を分けることができる。その場合には、現在優先権が自分（台所リモコン）にあるのかどうか、通話を開始したのは自分かそれとも浴室リモコンを操作しているユーザかにより給湯設定画面１２Ａ（図３（ａ））をそのまま表示するか通話設定画面１２Ｂ（図３（ｂ））に切り替えるのかを画面切り替え手段１１で判定する（Ｓ６）。
【００５１】
現在の台所リモコンが「温度がこちらから変更できない（優先権がない）状態」だったり、「浴室リモコンから通話を開始した（台所リモコン上で操作は行われていない）状態」だった場合には、ユーザが給湯温度を認識しないまま画面が切り替わってしまうのを防ぐ為に通話設定画面１２Ｂ（図３（ｂ））に切り替える前に、音声報知手段１４にて、現在給湯温度が高温に設定されている旨の音声報知をしてから（Ｓ９）、通話設定画面を表示する（Ｓ５）。
【００５２】
このことにより、やけど等の恐れのある高温出湯状態で、画面が切り替わる場合には、音声にて報知し、ユーザの注意を促すので、ユーザの認識の無いところで画面が切り替わってしまうのを防ぐことができる。と同時に、高温に設定されていることを予め意識として持っている場合には、通話設定画面を出し、現在の通話状態や、スピーカ音量の変更などの操作を可能とさせて利便性を向上させることができる。
【００５３】
（実施の形態３）
以下、本発明の実施の形態３について説明する。図９、図１０にて内部構成図と制御シーケンスを示すが、実施の形態１の図３、図４で既に示したものは同一記号を振り、説明を省略する。
【００５４】
図９に実施の形態３での台所リモコン２の内部構成図を示す。実施の形態３では、実施の形態１の構成に加え、音量変更手段１５を備える。画面切り替え手段１１にて画面を切り替える際に、高温出湯時に給湯設定画面１２Ａ（図３（ａ））に優先して通話設定画面１２Ｂ（図３（ｂ））を表示する場合には、通話時のスピーカ音量を音量変更手段１５に
て通常時よりも大きな音に設定する。この音量変更手段１５は、自リモコンのスピーカ音量のみを変更するものであっても構わないし、自リモコンと他リモコンの音量を変更するものであっても構わない。
【００５５】
図１０に、給湯温度が高温（例えば６０℃以上）に設定されたときの画面切り替え手段１１における制御シーケンスを示す。図４同様デフォルトの表示画面は給湯設定画面１２Ｂ（図３（ａ））とし、Ｓ１〜Ｓ４の処理を行う。Ｓ３にて通話開始が検知された場合に、給湯温度が高温の６０℃以上であった場合（高温出湯時）に、リモコンのスピーカ音量を大音量へ変更する（Ｓ１０）。
【００５６】
自リモコンのみのスピーカ音量を変更するのであれば、
（１）給湯温度が６０℃以上に設定されている、
（２）通話が開始された（このとき、通話機能を自リモコンの操作で開始するか、他リモコン（給湯器が中継する場合には給湯器）からの通話開始の指示を通信手段１０にて受信して通話を開始するでもどちらでもよい）、
の２つの条件を満たした時に通話時のスピーカ音量を例えば最大値に設定する。
【００５７】
また、他リモコンのスピーカ音量を変更するのであれば、自リモコンにて通話開始の操作が行われた際に、通信手段１０から通話開始の指示を他リモコン（給湯器が中継する場合には給湯器）に送信すると共に、他リモコンのスピーカ音量を最大に設定する指示を他リモコンに向けて送信する。
【００５８】
このことにより、給湯温度が高温に設定されていた場合に優先権を有していないリモコンから「いまからお湯使うから温度下げてね」「温度変えたいから優先権を頂戴」等のメッセージを音量を大音量とすることで、通話機能を用いて相手により確実に伝えることができる。また、優先権を有するリモコンから優先権を有さないリモコンへ「温度を変えたから気をつけてね」等のメッセージを通話機能を用いて相手により確実に伝えることができる。このため、通話設定画面１２Ｂ（図３（ｂ））にて通話機能を使用する際の利便性を損なうことなく、お互いの給湯の使用状態を相手に気づかせることができるので、ユーザの認識不足によるやけど等の被害を防ぐことができる。
【００５９】
このとき、実施の形態１に示した他リモコンでの操作で通話が開始されたか否か、優先権を自分が持つか否かによって給湯設定画面を出す判定処理を併せて実装すれば、高温時に万が一出湯してしまい、やけどを負ってしまったとしても、その音（もしくは音声）を相手に大音量で伝えることができるので、他リモコンにて異常を検知することが出来、迅速な対応を行って被害を最小限に留めることも可能となる。
【００６０】
また、実施の形態２に示した音声報知手段を併せて実装すれば、通話画面を表示する際には現在給湯温度が高温に設定されていることを認識させた上で、前述のような会話により、お互いのお湯の使用状況を相手に気づかせることができるので、より一層の効果が期待される。
【００６１】
なお、本実施の形態１〜３では台所リモコンを例にあげて説明したが、これを浴室リモコンにて実施しても構わない。
【００６２】
また、本実施の形態１〜３では宅内の通信媒体として専用線による有線通信を想定しているが、無線、電灯線搬送通信、赤外線通信、光ファイバ通信など、いずれの通信媒体を用いても同様の効果を有するものである。また、本実施の形態では、給湯器通信用プロトコルを用いて、通信制御を行うが、ECHONET（登録商標）等の通信プロトコル制御機能を併設することで、宅内のネット家電等を制御する機能を持ち合わせることも可能である。
【００６３】
また、本システムにて少なくとも一つの手段をコンピュータに実行させるためのプログラムにすると、マイコンまたはパソコンなどを用いて本発明のシステムの一部あるいは全てを容易に実現することが可能である。また、記録媒体に記録したり通信回線を用いたりすることでプログラムの配布が簡単にできるようになる。
【産業上の利用可能性】
【００６４】
以上のように、本発明にかかる給湯システム及びプログラムは、給湯温度が高温に設定され、ユーザがやけど等の被害に遭う可能性がある場合に、表示する画面を状況に応じて切り替え、利便性を保ちつつも安全性を確保したものであるので、宅内における給湯システムに限らず、寮や老人ホーム、図書館や体育館、文化センター等の公共施設などで複数のリモコンから複数のユーザによって設定が変更されることが想定される場所にも適用させることが出来、そのような環境においても利便性を損なわず、かつ安全なシステムを提供することが可能となる。
【図面の簡単な説明】
【００６５】
【図１】本発明を用いた給湯システム構成例図
【図２】本発明実施の形態１の台所リモコン内部構成図
【図３】本発明実施の形態１の台所リモコンの外観とその表示手段にて表示する画面例図
【図４】本発明実施の形態１の台所リモコン制御シーケンス図
【図５】本発明実施の形態１の給湯の温度優先権と通話開始操作と画面の相関説明図
【図６】本発明実施の形態２の台所リモコンの外観とその表示手段にて表示する画面例図
【図７】本発明実施の形態２の台所リモコン内部構成図
【図８】本発明実施の形態２の台所リモコン制御シーケンス図
【図９】本発明実施の形態３の台所リモコン内部構成図
【図１０】本発明実施の形態３の台所リモコン制御シーケンス図
【符号の説明】
【００６６】
１  給湯器
２  リモコン（台所リモコン）
３  リモコン（浴室リモコン）
１１  画面切り替え手段
１２  表示手段
１２Ａ  給湯設定画面
１２Ｂ  通話設定画面
１３  操作手段
１４  音声報知手段
１５  音量変更手段
【図４】
2007040551.tif 000003
【図５】
2007040551.tif 000004
【図７】
2007040551.tif 000005
【図８】
2007040551.tif 000006
【図９】
2007040551.tif 000007
【図１０】
2007040551.tif 000008
【図１】
2007040551.tif 000009
【図２】
2007040551.tif 000010
【図３】
2007040551.tif 000011
【図６】
2007040551.tif 000012